(57)【要約】【課題】除湿器の除湿量の向上を図りながら、省エネルギー化を図ることができる除湿空調装置を提供すること。【解決手段】水分吸着領域と水分放出領域との間で水分吸着材を移動させる除湿器（２１）を備え、水分吸着領域に向けて流れる空気を冷却する冷却器（２２３）と、外気絶対湿度値を算出する第１算出部４２と、外気絶対湿度値が予め決められる基準絶対湿度値を下回る場合には、予め記憶された空気線図上において、飽和湿度が１００％の飽和蒸気線のうち基準絶対湿度値と等しい絶対湿度値となる第１状態点から、水分吸着領域で除湿された空気の状態を示す第２状態点に向けて絶対湿度が平均的に減少することとして求められる状態線のうち、外気絶対湿度値と等しい絶対湿度値となる個所の温度を冷却温度に決定する冷却温度決定部４５と、決定された冷却温度となる態様で冷却器による冷却量を制御する圧縮機駆動処理部４６とを備えたものである。【選択図】        図２
2007263512.tif 000002
【特許請求の範囲】
【請求項１】
水分吸着領域と水分放出領域との間で水分吸着材を移動させる除湿器と、
前記水分吸着領域に導入外気を通過させることにより、前記水分吸着材に水分を吸着させて除湿し、除湿した空気を対象室内に供給する除湿処理ユニットと、
導入外気を加熱して前記水分放出領域に通過させることにより、前記水分吸着材に水分を放出させる再生処理ユニットと
を備えた除湿空調装置において、
前記除湿処理ユニットは、
前記水分吸着領域に向けて流れる空気を冷却する冷却手段と、
検出された外気の温湿度から外気絶対湿度値を算出する算出手段と、
前記算出手段により算出された外気絶対湿度値が、前記水分吸着領域で除湿された空気の絶対湿度値と前記除湿器の除湿量とから決められる基準絶対湿度値を下回る場合には、予め記憶された空気線図上において、飽和湿度が１００％の飽和蒸気線のうち前記基準絶対湿度値と等しい絶対湿度値となる第１状態点から、前記水分吸着領域で除湿された空気の状態を示す第２状態点に向けて絶対湿度が平均的に減少することとして求められる状態線のうち、前記外気絶対湿度値と等しい絶対湿度値となる個所の温度を前記冷却手段の冷却温度に決定する決定手段と、
前記決定手段により決定された冷却温度となる態様で前記冷却手段による冷却量を制御する制御手段と
を備えたことを特徴とする除湿空調装置。
【請求項２】
前記決定手段は、前記算出手段により算出された外気絶対湿度値が、前記基準絶対湿度値以上の場合には、予め記憶された空気線図上における前記第１状態点での温度を前記冷却手段の冷却温度に決定することを特徴とする請求項１に記載の除湿空調装置。
【発明の詳細な説明】
【技術分野】
【０００１】
本発明は、除湿空調装置に関し、より詳細には、例えばスーパーマーケット、コンビニエンスストア、ショッピングセンター等の店舗に適用され、室内への外気導入による換気、除湿、空気調和の各機能を有する除湿空調装置の改良に関する。
【背景技術】
【０００２】
従来、例えばスーパーマーケット、コンビニエンスストア、ショッピングセンター等の店舗等に適用される除湿空調装置として、除湿器と、除湿処理ユニットと、再生処理ユニットとを備えたものが知られている。
【０００３】
除湿器は、除湿ロータと称されるものであり、円板状の水分吸着材が設けられている。水分吸着材は、２つに仕切られた空気の流路を構成する水分吸着領域と水分放出領域とを交互に通過する態様で回転する。すなわち、水分吸着材が回転すると、水分吸着領域に位置した部分は水分放出領域に移動し、次いで、再び水分吸着領域に移動することを順次繰り返す。
【０００４】
除湿処理ユニットは、外気を取り入れ、取り入れた空気を除湿器の水分吸着領域に通過させることにより、通過する空気の水分を水分吸着材に吸着させて除湿し、かかる水分吸着領域を通過した空気を冷却器にて所定温度に冷却して、冷却した空気を店舗内に導入するものである。
【０００５】
再生処理ユニットは、再生空気（例えば外気）を取り入れ、取り入れた再生空気を加熱器で加熱し、加熱した空気を除湿器の水分放出領域に通過させることにより、水分吸着材から水分を放出させて乾燥し、かかる水分放出領域を通過した空気を外部に送出するものである。
【０００６】
そのような除湿空調装置において、除湿処理ユニットを構成する冷却器は、内部の流路を流れる冷媒が蒸発することにより、該冷却器の周囲を通過する空気との間で熱交換が行われて該空気を冷却するものである。そして、かかる冷却器への冷媒の供給量を制御することにより、冷却器を通過した後の空気の温度を調整するものが提案されている（例えば、特許文献１参照）。
【０００７】
【特許文献１】特開２００４−３１６９７５号公報
【発明の開示】
【発明が解決しようとする課題】
【０００８】
しかしながら、特許文献１に提案されている除湿空調装置では、冷却器への冷媒の供給量を制御して該冷却器を通過した後の空気の温度を調整しているが、このような構成では、除湿器を通過する以前の空気、すなわち除湿器の水分吸着領域に向けて流れる空気に対して冷却等を行うわけではないので、除湿量向上を図ることが困難である。
【０００９】
その一方、除湿空調装置の他の例として、外気を取り入れ、取り入れた空気を冷却器にて所定温度に冷却し、冷却した空気を除湿器の水分吸着領域に通過させることにより除湿し、除湿した空気を対象室内に送出するような除湿処理ユニットを備えた除湿空調装置が知られている。
【００１０】
かかる除湿空調装置では、取り入れた空気を所定温度に冷却した後に除湿器の水分吸着領域に通過させているので、水分吸着領域に向けて流れる空気の相対湿度を上昇させることができ、これにより除湿器による水分吸着量を増大させることができ、除湿量の向上を図ることができる。
【００１１】
ところが、このような除湿空調装置では、冷却器の温度が所定の温度、例えば着霜を防止するために０℃となるように調整されている。そのため、外気条件（外気温度等）が異なる場合にも除湿器での除湿量および対象室内に供給する空気温度が成り行きとなっており、取り入れた空気を必要以上に過剰に冷却してしまい、消費電力等のエネルギーロスを生じる虞れがあった。
【００１２】
本発明は、上記実情に鑑みて、除湿器の除湿量の向上を図りながら、省エネルギー化を図ることができる除湿空調装置を提供することを目的とする。
【課題を解決するための手段】
【００１３】
上記目的を達成するために、本発明の請求項１に係る除湿空調装置は、水分吸着領域と水分放出領域との間で水分吸着材を移動させる除湿器と、前記水分吸着領域に導入外気を通過させることにより、前記水分吸着材に水分を吸着させて除湿し、除湿した空気を対象室内に供給する除湿処理ユニットと、導入外気を加熱して前記水分放出領域に通過させることにより、前記水分吸着材に水分を放出させる再生処理ユニットとを備えた除湿空調装置において、前記除湿処理ユニットは、前記水分吸着領域に向けて流れる空気を冷却する冷却手段と、検出された外気の温湿度から外気絶対湿度値を算出する算出手段と、前記算出手段により算出された外気絶対湿度値が、前記水分吸着領域で除湿された空気の絶対湿度値と前記除湿器の除湿量とから決められる基準絶対湿度値を下回る場合には、予め記憶された空気線図上において、飽和湿度が１００％の飽和蒸気線のうち前記基準絶対湿度値と等しい絶対湿度値となる第１状態点から、前記水分吸着領域出口での空気の状態を示す第２状態点に向けて絶対湿度が平均的に減少することとして求められる状態線のうち、前記外気絶対湿度値と等しい絶対湿度値となる個所の温度を前記冷却手段の冷却温度に決定する決定手段と、前記決定手段により決定された冷却温度となる態様で前記冷却手段による冷却量を制御する制御手段とを備えたことを特徴とする。
【００１４】
また、本発明の請求項２に係る除湿空調装置は、上述した請求項１において、前記決定手段は、前記算出手段により算出された外気絶対湿度値が、前記基準絶対湿度値以上の場合には、予め記憶された空気線図上における前記第１状態点での温度を前記冷却手段の冷却温度に決定することを特徴とする。
【発明の効果】
【００１５】
本発明に係る除湿空調装置によれば、冷却手段が水分吸着領域に向けて流れる空気を冷却するので、導入した空気の相対湿度を上昇させることができ、これにより、除湿器の除湿量の向上を図ることができる。また、決定手段が、算出手段に算出された外気絶対湿度値が基準絶対湿度値を下回る場合には、予め記憶された空気線図上において、飽和湿度が１００％の飽和蒸気線のうち基準絶対湿度値と等しい絶対湿度値となる第１状態点から、水分吸着領域で除湿された空気の状態を示す第２状態点に向けて絶対湿度が平均的に減少することとして求められる状態線のうち、外気絶対湿度値と等しい絶対湿度値となる個所の温度を冷却温度に決定し、制御手段が決定した冷却温度となる態様で圧縮機の駆動を制御するので、空気を必要以上に過剰に冷却してしまう虞れがなく、外気条件の変更に対して良好な冷却効率を得ることができ、その結果、省エネルギー化を図ることができるという効果を奏する。
【発明を実施するための最良の形態】
【００１６】
以下に添付図面を参照して、本発明に係る除湿空調装置の好適な実施の形態について詳細に説明する。尚、本実施の形態では、除湿空調装置の対象室は、例えばスーパーマーケット、コンビニエンスストア、ショッピングセンター等の店舗であるとして説明する。
【００１７】
図１は、本発明の実施の形態における除湿空調装置の構成を模式的に示した模式図である。この図１において、除湿空調装置２０は、店舗１の内部への外気導入による換気、除湿、空気調和を行うものである。対象となる店舗１には、空調室内器２および冷凍冷蔵機器６が設けてある。
【００１８】
空調室内器２は、圧縮機３、凝縮器４および膨張弁５と冷媒配管を通じて接続されて冷媒循環回路Ｌ１を形成している。圧縮機３は、冷媒を圧縮して高温高圧の状態にするものである。凝縮器４は、圧縮機３より供給された冷媒、すなわち圧縮機３で高温高圧の状態に圧縮された冷媒を凝縮させて液化するものである。膨張弁５は、凝縮器４より供給された冷媒、すなわち凝縮器４で凝縮させた冷媒を断熱膨張させる、すなわち該冷媒を減圧して低温低圧の状態に調整するものである。空調室内器２は、膨張弁５で低温低圧の状態に断熱膨張させた冷媒を蒸発させるものである。この冷媒が蒸発することにより、空調室内器２の周辺領域は、熱が奪われて冷却される。
【００１９】
このような冷媒循環回路Ｌ１では、圧縮機３で圧縮された冷媒が、凝縮器４で凝縮した後、膨張弁５に至る。膨張弁５に至った冷媒は、該膨張弁５で減圧されて断熱膨張し、低温低圧の状態になり、空調室内器２に送出される。空調室内器２に送出された冷媒は、該空調室内器２の周辺領域から熱を与えられて蒸発し、その後、圧縮機３に帰還する。つまり、冷媒は、冷媒循環回路Ｌ１を循環する。冷媒が冷媒循環回路Ｌ１を循環することにより、空調室内器２の周辺領域、すなわち店舗１の内部雰囲気は、冷媒が蒸発することにより熱を奪われて冷却される。
【００２０】
冷凍冷蔵機器６は、例えばショーケース（図示せず）のようなものであり、内部に陳列された商品等を冷却するためのものである。この冷凍冷蔵機器６には、蒸発器７が内蔵されており、かかる蒸発器７は、圧縮機８、凝縮器９および膨張弁１０と冷媒配管を通じて接続されて冷媒循環回路Ｌ２を形成している。圧縮機８は、冷媒を圧縮して高温高圧の状態にするものである。凝縮器９は、圧縮機８より供給された冷媒、すなわち圧縮機８で高温高圧の状態に圧縮された冷媒を凝縮させて液化するものである。膨張弁１０は、凝縮器９より供給された冷媒、すなわち凝縮器９で凝縮させた冷媒を断熱膨張させる、すなわち該冷媒を減圧して低温低圧の状態に調整するものである。蒸発器７は、膨張弁１０で低温低圧の状態に断熱膨張させた冷媒を所定の流路内で蒸発させるものである。この冷媒が蒸発することにより、冷凍冷蔵機器６の内部に陳列された商品等は、熱が奪われて冷却される。
【００２１】
このような冷媒循環回路Ｌ２では、圧縮機８で圧縮された冷媒が、凝縮器９で凝縮した後、膨張弁１０に至る。膨張弁１０に至った冷媒は、該膨張弁１０で減圧されて断熱膨張し、低温低圧の状態になり、蒸発器７に送出される。蒸発器７に送出された冷媒は、該蒸発器７の周辺領域から熱を与えられて蒸発し、その後、圧縮機８に帰還する。つまり、冷媒は、冷媒循環回路Ｌ２を循環する。冷媒が冷媒循環回路Ｌ２を循環することにより、蒸発器７の周辺領域、すなわち陳列された商品等は、冷媒が蒸発することにより熱を奪われて冷却される。
【００２２】
そのような店舗１に適用される除湿空調装置２０は、除湿器２１と、除湿処理ユニット２２と、再生処理ユニット２３とを備えて構成してある。
【００２３】
除湿器２１は、除湿ロータと称されるものであり、円板状に形成した例えば活性炭やゼオライト系等の水分吸着材２１１が設けてある。水分吸着材２１１は、モータ（図示せず）の駆動により回転するものである。より詳細に説明すると、水分吸着材２１１は、２つに仕切られた空気の流路を構成する水分吸着領域２２４と水分放出領域２３４とを交互に通過する態様で回転するものである。すなわち、水分吸着材２１１が回転すると、水分吸着領域２２４に位置した部分は水分放出領域２３４に移動し、次いで、再び水分吸着領域２２４に移動することを順次繰り返すことになる。
【００２４】
除湿処理ユニット２２は、導入した外気（空気）を除湿して店舗１の内部に導入するためのものであり、除湿処理経路２２０を有している。
【００２５】
除湿処理経路２２０は、外気取入口２２１から取り入れた外気（空気）を、空気吐出口２２２を通じて店舗１の内部に導くための経路であり、冷却器（冷却手段）２２３、除湿器２１の水分吸着領域２２４および除湿処理ファン２２５が外気取入口２２１側から順に設けてある。
【００２６】
冷却器２２３は、外気取入口２２１を通じて取り入れた空気を冷却するものである。この冷却器２２３は、圧縮機２２３１、凝縮器２２３２および電子膨張弁２２３３と冷媒配管を通じて接続されて冷媒循環回路Ｌ３を形成している。より詳細に説明すると、圧縮機２２３１は、冷媒を圧縮して高温高圧の状態にするものであり、回転数を変更可能な可変式のものである。かかる圧縮機２２３１は、後述する制御部４０から出力される信号に基づき回転数が決められる。凝縮器２２３２は、圧縮機２２３１より供給された冷媒、すなわち、圧縮機２２３１で高温高圧の状態に圧縮された冷媒を凝縮（放熱）させて液化するものである。電子膨張弁２２３３は、凝縮器２２３２より供給された冷媒、すなわち凝縮器２２３２で放熱させた冷媒を断熱膨張させる、すなわち該冷媒を減圧して低温低圧の状態に調整するものである。冷却器２２３は、電子膨張弁２２３３で低温低圧の状態に断熱膨張させた冷媒を蒸発させるものである。この冷媒が蒸発することにより、冷却器２２３の周辺を通過する空気は、熱が奪われて冷却される。このような圧縮機２２３１、凝縮器２２３２、電子膨張弁２２３３および冷却器２２３を冷媒配管を通じて順次接続することにより上記冷媒循環回路Ｌ３を形成している。
【００２７】
上記水分吸着領域２２４は、通過する空気の水分を水分吸着材２１１に吸着させる領域である。これにより、冷却器２２３で冷却された空気は、水分吸着領域２２４で除湿される。
【００２８】
除湿処理ファン２２５は、店舗１の内部に空気を導入するための送風源となるものである。従って、除湿処理ファン２２５により送風された空気は、空気吐出口２２２を通じて店舗１の内部に供給される。
【００２９】
上記除湿処理経路２２０には、還気取入口２２６が設けてある。還気取入口２２６は、上記水分吸着領域２２４の下流側となる該水分吸着領域２２４と除湿処理ファン２２５との間に設けてあり、還気導入路Ｒを通じて店舗１の内部の空気を取り入れるための開口である。この還気導入路Ｒは、店舗１の内部に設けられた空気取入口（図示せず）を通じて該店舗１の内部の空気を取り入れ、還気取入口２２６まで移送するための通路である。
【００３０】
また、除湿処理ユニット２２には、冷却温度検出センサＳ１および外気温湿度検出センサＳ２が設けてある。冷却温度検出センサＳ１は、冷却器２２３と、除湿器２１の水分吸着領域２２４との間に設けてあり、冷却器２２３にて冷却され、除湿器２１の水分吸着領域２２４に向けて流れる空気の温度、すなわち冷却器出口温度を検出するものである。この冷却温度検出センサＳ１は、検出した冷却器出口温度を冷却器出口温度情報として、後述する制御部４０に出力するものである。尚、以下においては、説明の便宜上、冷却温度検出センサＳ１により検出される冷却器出口温度を検出温度と適宜称する。
【００３１】
外気温湿度検出センサＳ２は、除湿処理経路２２０の外部の所定個所、すなわち外気取入口２２１の外部に設けてあり、外気の温湿度を検出するものである。この外気温湿度検出センサＳ２は、検出した外気温湿度を外気温湿度情報として後述する制御部４０に出力するものである。
【００３２】
以上のような除湿処理ユニット２２の制御系について説明する。図２は、図１に示した除湿処理ユニットの制御系の要部を示すブロック図である。この図２において、除湿処理ユニット２２は、上述した冷却温度検出センサＳ１および外気温湿度検出センサＳ２、記憶部３０並びに制御部４０を備えている。これら記憶部３０および制御部４０は、除湿空調装置全体を統括する除湿空調制御部（図示せず）に組み込まれても良いし、独立して設けてあっても良い。
【００３３】
記憶部３０は、各種のデータや制御部４０による各種処理に必要なデータやプログラムを格納する格納手段（記憶手段）であり、特に本発明に密接に関連するものとしては、空気線図テーブル３１、除湿後空気情報３２、除湿量情報３３を備える。
【００３４】
空気線図テーブル３１は、図６および図７に示すようなものであり、横軸を温度（℃）、縦軸を絶対湿度（ｇ／ｋｇ−ＤＡ（Dry  Air））として表したものである。かかる空気線図中には、複数の飽和蒸気線等に関する情報が示されている。除湿後空気情報３２は、除湿後の空気、すなわち水分吸着領域２２４における水分吸着材２１１を通過した後の空気の温度および絶対湿度に関する情報である。除湿量情報３３は、除湿器２１の除湿量、すなわち最大除湿量（最大除湿能力）に関しての情報である。これら除湿後空気情報３２および除湿量情報３３は、予め除湿空調装置設計時に実験等により求められたものである。
【００３５】
制御部４０は、ＯＳ（Operating  System）等の制御プログラム、各種の処理手順等を規定したプログラムおよび所要データを格納するための内部メモリを有し、これらによって種々の処理を実行する処理部であり、特に本発明に密接に関連するものとしては、情報入力部４１と、第１算出部（算出手段）４２と、第２算出部４３と、比較部４４と、冷却温度決定部（決定手段）４５と、圧縮機駆動処理部（制御手段）４６とを備える。
【００３６】
情報入力部４１は、冷却温度検出センサＳ１から出力された冷却器出口温度情報、並びに外気温湿度検出センサＳ２から出力された外気温湿度情報等の各種情報を入力処理するものである。
【００３７】
第１算出部４２は、情報入力部４１を通じて入力処理された外気温湿度情報から外気の絶対湿度値（外気絶対湿度値）を算出するものである。
【００３８】
第２算出部４３は、記憶部３０に格納してある除湿後空気情報３２に含まれる除湿後空気の絶対湿度値と、除湿量情報３３に含まれる除湿器２１の除湿量（最大除湿量）とから、閾値となる基準絶対湿度値を算出するものである。これにより、基準絶対湿度値は、除湿処理ユニット２２が最大能力を発揮して除湿処理可能な絶対湿度値、すなわち除湿処理可能な最大値を意味するものである。
【００３９】
比較部４４は、第１算出部４２を通じて算出された外気絶対湿度値と、第２算出部４３を通じて算出された基準絶対湿度値とを比較するものである。
【００４０】
冷却温度決定部４５は、比較部４４による比較結果に応じて、冷却器２２３による空気の冷却温度を決定するものである。詳細については後述する。尚、以下においては、説明の便宜上、冷却温度決定部４５により決定された冷却温度を決定温度と適宜称する。
【００４１】
圧縮機駆動処理部４６は、圧縮機２２３１の駆動処理、すなわち圧縮機２２３１の回転数を増加させたり、減少させたりするものである。
【００４２】
再生処理ユニット２３は、導入した外気（空気）を加熱して、除湿器２１の水分放出領域２３４に通過させることにより、該除湿器２１を構成する水分吸着材２１１に水分を放出させるものであり、再生処理経路２３０を有している。
【００４３】
再生処理経路２３０は、除湿処理経路２２０に並設してあり、再生空気取入口２３１から取り入れた再生空気（外気）を、再生空気吐出口２３２を通じて外部に送出するための経路であり、加熱器２３３、除湿器２１の水分放出領域２３４および再生ファン２３５が再生空気取入口２３１側から順に設けてある。
【００４４】
加熱器２３３は、再生空気取入口２３１を通じて取り入れた空気を加熱するものである。この加熱器２３３は、配管を通じて加熱源２３３１およびポンプ２３３２に接続することにより、例えば温水等の熱媒体が循環する熱媒体循環路Ｌ４を形成している。加熱源２３３１は、熱媒体循環路Ｌ４を流れる温水を加熱するものである。ポンプ２３３２は、温水が熱媒体循環路Ｌ４を流れるための動力源となるものである。加熱源２３３１で加熱された温水がポンプ２３３２の作用によって熱媒体循環路Ｌ４を流れることにより、加熱器２３３の周辺を通過する空気（再生空気）は加熱される。
【００４５】
上記水分放出領域２３４は、加熱器２３３で加熱された空気が通過することにより、水分吸着材２１１に水分を放出させて乾燥させるための領域である。再生ファン２３５は、水分放出領域２３４を通過した空気を再生空気吐出口２３２を通じて外部に送出するものであり、再生空気を送風する送風源となる。
【００４６】
以上のような構成を有する除湿空調装置２０は、次のようにして店舗１の内部を換気、除湿する。
【００４７】
運転指令が発せられ、モータ、圧縮機２２３１、除湿処理ファン２２５、加熱源２３３１、ポンプ２３３２および再生ファン２３５のそれぞれが駆動すると、水分吸着材２１１が回転するとともに、除湿処理ファン２２５および再生ファン２３５が駆動する。また、圧縮機２２３１で圧縮された冷媒が冷媒循環回路Ｌ３を循環し、加熱源２３３１で加熱された温水がポンプ２３３２の作用により熱媒体循環路Ｌ４を流れる。
【００４８】
除湿処理ファン２２５の駆動により、外気が外気取入口２２１を通じて取り入れられ、取り入れられた空気は、冷却器２２３に至る。冷却器２２３に至った外気は、該冷却器２２３の内部を流れる冷媒が蒸発することにより冷却され、水分吸着領域２２４に至る。その一方、除湿処理ファン２２５の駆動により、店舗１の内部の室内空気が空気取入口を通じて取り入れられ、取り入れられた室内空気は、還気導入路Ｒを通過して還気取入口２２６に至る。
【００４９】
水分吸着領域２２４において、外気に含有される水分が水分吸着材２１１の対応する部分に吸着され、外気の湿度が低下する。すなわち外気は除湿される。また、水分吸着材２１１の水分吸着領域２２４に対応する部分に吸着された水分は、水分吸着材２１１の回転とともに、水分吸着領域２２４から水分放出領域２３４に移動する。
【００５０】
水分吸着領域２２４で除湿された外気は、除湿処理ファン２２５の駆動により下流側に流れ、還気導入路Ｒを通過し還気取入口２２６に至った室内空気と混合して混合拡散されて所定の温湿度に調整された後、混合空気として空気吐出口２２２を通じて店舗１の内部に供給される。
【００５１】
一方、再生ファン２３５が駆動することにより、再生空気取入口２３１を通じて空気（外気）が取り入れられ、取り入れられた空気は、加熱器２３３に至る。加熱器２３３に至った空気は、加熱器２３３の内部を流れる温水により加熱されて高温度の空気になり、水分放出領域２３４に至る。
【００５２】
水分放出領域２３４において、加熱器２３３で加熱された空気が通過することにより、水分吸着材２１１の対応する部分から水分が放出され、該空気の湿度が上昇する。その後、水分放出領域２３４を通過した空気は、再生ファン２３５の駆動により、再生空気吐出口２３２を通じて外部に送出される。
【００５３】
水分吸着材２１１の水分放出領域２３４に対応する部分は、水分が放出されて乾燥するとともに、温度が上昇する。この温度が上昇し、かつ乾燥した水分吸着材２１１の対応部分は、水分吸着材２１１の回転とともに、水分放出領域２３４から水分吸着領域２２４に移動し、上述した動作を繰り返す。
【００５４】
つまり、上記除湿空調装置２０において、除湿処理ユニット２２は、導入した外気を冷却器２２３で冷却し、冷却した外気を水分吸着領域２２４に通過させることにより水分吸着材２１１に水分を吸着させて除湿し、除湿した空気に還気導入路Ｒを通じて別個に導入した店舗１の内部の室内空気を混合して該店舗１の内部に供給している。また、再生処理ユニット２３は、外気を加熱して水分放出領域２３４に通過させることにより水分吸着材２１１から水分を放出させている。
【００５５】
そして、除湿処理ユニット２２では、導入した外気を冷却器２２３で冷却することにより、外気の相対湿度を上昇させることができる。そのため、相対湿度が高い方が除湿量が高くなる活性炭やゼオライト等の特性を利用して水分吸着材２１１での吸着水分量を増加させることができ、これにより、除湿器２１の除湿量の向上を図ることができる。また、水分吸着領域２２４を通過する空気は、除湿される際に発生する吸着熱により温度が上昇することになる。ところが、かかる外気は、水分吸着領域２２４の下流側で、還気導入路Ｒを通じて導入した室内空気と混合されることで、所定の温度に冷却することができる。このように、店舗１の内部に外気を供給するので換気を行うことができ、しかも、所定の温度に冷却・除湿された空気を供給するので店舗１の内部を良好に除湿することができるとともに適温に調整することができる。
【００５６】
そのようにして店舗１の内部の換気、除湿を行う除湿空調装置２０は、予め設定された時間ごとに次のような動作を行う。図３〜図５および図８は、それぞれ除湿処理ユニットを構成する制御部が行う処理内容を示したフローチャートである。これら図３〜図５および図８を参照しながら説明する。
【００５７】
制御部４０は、図３に示すように、外気絶対湿度算出処理を行う（ステップＳ１００）。かかる外気絶対湿度算出処理について説明する。
【００５８】
制御部４０は、図４に示すように、情報入力部４１を通じて、外気温湿度検出センサＳ２からの外気温湿度情報の入力の有無を確認し（ステップＳ１０１）、外気温湿度情報の入力が確認できた場合には、制御部４０は、第１算出部４２を通じて、外気絶対湿度値を算出し（ステップＳ１０２）、今回の外気絶対湿度算出処理を終了して、手順をリターンする。
【００５９】
一方、上記ステップＳ１０１において、外気温湿度情報の入力が確認できない場合には、制御部４０は、上述したような外気絶対湿度値の算出を行わずに、今回の外気絶対湿度算出処理を終了して、手順をリターンする。
【００６０】
上述したような外気絶対湿度算出処理を行った制御部４０は、図３に示すように、冷却温度決定処理を行う（ステップＳ２００）。かかる冷却温度決定処理について説明する。
【００６１】
制御部４０は、図５に示すように、第１算出部４２を通じて、外気絶対湿度値の算出の有無を確認する（ステップＳ２０１）。外気絶対湿度値の算出が確認できた場合には、制御部４０は、記憶部３０から各種情報（空気線図テーブル３１、除湿後空気情報３２、除湿量情報３３）を読み出して（ステップＳ２０２）、第２算出部４３を通じて、除湿後空気情報３２に含まれる空気の絶対湿度値と、除湿量情報３３に含まれる除湿量（最大除湿量）とから基準絶対湿度値を算出する（ステップＳ２０３）。
【００６２】
基準絶対湿度値を算出した制御部４０は、比較部４４を通じて、外気絶対湿度値が基準絶対湿度値以上であるか否かを確認し（ステップＳ２０４）、外気絶対湿度値が基準絶対湿度値以上である場合には、制御部４０は、冷却温度決定部４５を通じて、第１冷却温度決定処理を行う（ステップＳ２０５）。かかる第１冷却温度決定処理について説明する。
【００６３】
第１冷却温度決定処理は、記憶部３０から読み出した空気線図（図６参照）を利用して行う。この空気線図において、点Ａは、外気の状態を示した状態点であり、点Ｂは、除湿後空気情報３２に含まれる除湿後空気の状態を示した状態点である。図中の符号Ｃは、除湿量情報３３に含まれる除湿器２１の除湿量（最大除湿量）を示している。従って、点Ｂに最大除湿量分を加えた点の絶対湿度値（ｂ［ｇ／ｋｇ−ＤＡ］）は、基準絶対湿度値になる。
【００６４】
制御部４０は、冷却温度決定部４５を通じて、かかる空気線図上において飽和湿度が１００％の飽和蒸気線（イ）のうち基準絶対湿度値と等しい絶対湿度値（ｂ［ｇ／ｋｇ−ＤＡ］）となる点における温度Ｔを冷却温度に決定する。より詳細に説明すると、基準絶対湿度値と等しい等絶対湿度線（ロ）と飽和蒸気線（イ）との交点における温度Ｔを冷却温度に決定する。
【００６５】
このような第１冷却温度決定処理が行われた後、今回の冷却温度決定処理を終了して、手順をリターンする。
【００６６】
上記ステップＳ２０４において、外気絶対湿度値が基準絶対湿度値を下回る場合には、制御部４０は、冷却温度決定部４５を通じて、第２冷却温度決定処理を行う（ステップＳ２０６）。かかる第２冷却温度決定処理について説明する。
【００６７】
第２冷却温度決定処理は、上記第１冷却温度決定処理と同様に、記憶部３０から読み出した空気線図（図７参照）を利用して行う。この空気線図において、点Ａ、点Ｂおよび符号Ｃは、図６に示した場合と同じように、外気の状態点、除湿後空気の状態点および最大除湿量を示している。また、（イ）線および（ロ）線は、図６に示した場合と同じように、飽和湿度が１００％の飽和蒸気線および基準絶対湿度値（ｂ［ｇ／ｋｇ−ＤＡ］）に等しい等絶対湿度線を示している。
【００６８】
制御部４０は、冷却温度決定部４５を通じて、かかる空気線上において飽和蒸気線（イ）のうち基準絶対湿度値と等しい絶対湿度値となる状態点（第１状態点（温度ｔ２））から、点Ｂで示される状態点（第２状態点）に向けて絶対湿度が平均的に減少することとして求められる状態線（ハ）のうち、外気絶対湿度値と等しい絶対湿度値（ａ［ｇ／ｋｇ−ＤＡ］）となる個所の温度Ｔを冷却温度に決定する。
【００６９】
このような第２冷却温度決定処理が行われた後、今回の冷却温度決定処理を終了して、手順をリターンする。
【００７０】
一方、上記ステップＳ２０１において、外気絶対湿度の算出が確認できない場合には、制御部４０は、上述したような冷却温度の決定（第１冷却温度決定処理または第２冷却温度決定処理）を行わずに、今回の冷却温度決定処理を終了して、手順をリターンする。これによれば、今回の処理以前であり、かつ直近に決定された冷却温度が今なお有効なものとされる。
【００７１】
冷却温度決定処理を行った制御部４０は、図３に示すように、圧縮機駆動処理を行う（ステップＳ３００）。かかる圧縮機駆動処理について説明する。
【００７２】
制御部４０は、図８に示すように、冷却温度決定部４５を通じて、冷却温度の決定の有無を確認し（ステップＳ３０１）、冷却温度の決定を確認できた場合には、圧縮機駆動処理部４６を通じて、圧縮機２２３１の駆動処理を行う（ステップＳ３０２）。より詳細に説明すると、制御部４０は、圧縮機駆動処理部４６を通じて、圧縮機２２３１の回転数を増加させたり、あるいは減少させたりする。このように圧縮機２２３１の回転数を増加させると、冷却器２２３への冷媒の供給量（冷媒内循環回路での冷媒の循環量）が増大する一方、圧縮機２２３１の回転数を減少させると、冷却器２２３への冷媒の供給量が減少する。
【００７３】
このように圧縮機２２３１の駆動処理（回転数の制御）を行いながら、制御部４０は、情報入力部４１を通じて冷却温度検出センサＳ１からの冷却器出口温度（検出温度）情報を入力し、該情報に含まれる検出温度が、冷却温度決定部４５を通じて決定された決定温度に一致するか否かを確認する（ステップＳ３０３，ステップＳ３０４）。かかるステップＳ３０３およびステップＳ３０４の処理は、検出温度と決定温度とが一致するまで繰り返し行う。
【００７４】
そして、検出温度と決定温度とが一致した場合には、制御部４０は、圧縮機駆動処理部４６を通じて、駆動処理中の圧縮機２２３１の回転数をその時点での大きさに保持した状態に維持し（ステップＳ３０５）、今回の圧縮機駆動処理を終了して、手順をリターンする。これによれば、好適な冷却温度（冷却器出口温度）を実現するのに必要十分な量の冷媒が冷却器２２３へ供給されることになる。
【００７５】
上記ステップＳ３０１において、冷却温度の決定が確認できなかった場合には、制御部４０は、上述したような圧縮機２２３１の駆動処理を行わずに、今回の圧縮機駆動処理を終了して、手順をリターンする。
【００７６】
そして、そのような圧縮機駆動処理を行った後、制御部４０は、今回の処理を終了する。
【００７７】
以上説明したように、本発明の実施の形態における除湿空調装置２０によれば、導入した外気を冷却器２２３で冷却することにより、外気の相対湿度を上昇させることができ、これにより、除湿器２１の除湿量の向上を図ることができる。また、制御部４０が、外気絶対湿度値が基準絶対湿度値を下回る場合、すなわち除湿処理ユニット２２に導入される外気の絶対湿度が該除湿処理ユニット２２の除湿処理能力の最大値を下回る場合には、予め記憶された空気線図上において、飽和湿度が１００％の飽和蒸気線のうち基準絶対湿度値と等しい絶対湿度値となる第１状態点から、水分吸着領域２２４で除湿された空気の状態を示す第２状態点に向けて絶対湿度が平均的に減少することとして求められる状態線（ロ）のうち、外気絶対湿度値と等しい絶対湿度値となる個所の温度を冷却温度Ｔに決定し、決定した冷却温度となる態様で圧縮機２２３１の駆動を制御するので、空気を必要以上に過剰に冷却してしまう虞れがなく、外気条件の変更に対して良好な冷却効率を得ることができ、その結果、省エネルギー化を図ることができる。
【００７８】
また、上記除湿空調装置２０によれば、水分吸着領域２２４の下流側で除湿した空気と別個に導入した店舗１の内部空気とを混合させるようにしたので、除湿器２１での除湿処理空気量の増大化を招来する虞れがなく、これにより、除湿器２１での除湿処理空気量の増大なく除湿した所定の温度に冷却された空気を店舗１の内部へ供給することができる。
【産業上の利用可能性】
【００７９】
以上のように、本発明は、例えばスーパーマーケット、コンビニエンスストア、ショッピングセンター等の店舗に適用され、店舗内への外気導入による換気、除湿、空気調和の各機能を有する除湿空調装置として有用である。
【図面の簡単な説明】
【００８０】
【図１】本発明の実施の形態における除湿空調装置の構成を模式的に示した模式図である。
【図２】図１に示した除湿処理ユニットの制御系の要部を示すブロック図である。
【図３】除湿処理ユニットを構成する制御部が行う処理内容を示したフローチャートである。
【図４】除湿処理ユニットを構成する制御部が行う処理内容を示したフローチャートである。
【図５】除湿処理ユニットを構成する制御部が行う処理内容を示したフローチャートである。
【図６】除湿処理ユニットを構成する制御部が冷却温度を決定する際に用いる空気線図を示した説明図である。
【図７】除湿処理ユニットを構成する制御部が冷却温度を決定する際に用いる空気線図を示した説明図である。
【図８】除湿処理ユニットを構成する制御部が行う処理内容を示したフローチャートである。
【符号の説明】
【００８１】
２０      除湿空調装置
２１      除湿器
２１１    水分吸着材
２２      除湿処理ユニット
２２３    冷却器
２２３１  圧縮機
２３      再生処理ユニット
３０      記憶部
３１      空気線図テーブル
３２      除湿後空気情報
３３      除湿量情報
４０      制御部
４１      情報入力部
４２      第１算出部
４３      第２算出部
４４      比較部
４５      冷却温度決定部
４６      圧縮機駆動処理部
Ｓ１      冷却温度検出センサ
Ｓ２      外気温湿度検出センサ
【図１】
2007263512.tif 000003
【図２】
2007263512.tif 000004
【図３】
2007263512.tif 000005
【図４】
2007263512.tif 000006
【図５】
2007263512.tif 000007
【図６】
2007263512.tif 000008
【図７】
2007263512.tif 000009
【図８】
2007263512.tif 000010